(57)【特許請求の範囲】
【請求項１】
グリストラップの生ゴミ類捕集槽に設置されたネット保持部材に生ゴミ類捕集ネットを装着するグリストラップ用生ゴミ類捕集ネットの装着具であって、前記ネット保持部材の上端開口枠部を挟着するクリップ状の本体部と、この本体部に突設されて前記生ゴミ類捕集ネットの網目が掛脱自在に掛け止めされる掛止片とを備えており、
前記クリップ状の本体部が、後端立壁と、この後端立壁の下端部から前方にのびる平坦な下片部と、前記後端立壁の上端部から前方かつ下向きに傾斜してのびる主体部及びこの主体部の前方かつ上向きに傾斜してのびる端縁部を有する上片部と、を備え、前記掛止片が、前記主体部の後端立壁寄り側の一部を切り起して突設されていることを特徴とするグリストラップ用生ゴミ類捕集ネットの装着具。
【請求項２】
前記生ゴミ類捕集ネットの装着具が金属製である請求項１に記載のグリストラップ用生ゴミ類捕集ネットの装着具。
【発明の詳細な説明】
【０００１】
【発明の属する技術分野】
本発明は、飲食店や社員食堂などの業務用厨房施設から廃水に混入して流下する生ゴミ類の捕集ネットをネット保持部材に装着するのに好適なグリストラップ用生ゴミ類捕集ネットの装着具に関するものである。
【０００２】
【従来の技術】
たとえば、飲食店や社員食堂などの業務用厨房施設から流出する廃水は、図８に示すグリストラップ１０を経て排水管１１から公共の下水施設に排水される。グリストラップ１０は、一般に、上流側から下流側に向かって生ゴミ類捕集槽１２、油脂捕集槽１３、排水槽１４に区画されている。このため、厨房施設１５から流出する廃水に混入している生ゴミ類は生ゴミ類捕集槽１２で捕集され、動植物性の油脂は油脂捕集槽１３で捕集され、生ゴミ類や動植物性の油脂が捕集された廃水のみが排水槽１４に到達し、排水管１１を通って公共の下水施設に排水されることになる。
【０００３】
生ゴミ類捕集槽１２には、生ゴミ捕集カゴ１が出し入れ可能に設置されている。この生ゴミ捕集カゴ１は、ステンレス鋼またはアルミ系合金など耐食性に優れた金属によって、図９に示すように、上端を開口した有底四角形に形成されており、Ｌ字状断面の型材によってなる上端開口枠部２と、この上端開口枠部２に取付けられて下方にのびる有底四角形の水切り本体部３とを備えている。この水切り本体部３はパンチングメタルなどによって構成され、上端開口枠部２の互いに対向する二辺には提げ手４，４を取付けてある。
【０００４】
図８の厨房施設１５から流出する廃水に混入している生ゴミ類は、生ゴミ類捕集槽１２内で生ゴミ捕集カゴ１によって捕集され、生ゴミ類が捕集された廃水は油脂捕集槽１３に流下し、ここでは、流下した廃水に混入している動植物性油脂などの油分を捕集し、捕集した油分は、たとえば油脂捕集槽１３に油吸着材を投入することによって吸着して回収される。
【０００５】
一方、生ゴミ捕集カゴ１によって捕集された生ゴミ類は、提げ手４，４を持って生ゴミ捕集カゴ１を生ゴミ類捕集槽１２から引上げて水切りしたのちに排出することにより回収することができる。空になった生ゴミ捕集カゴ１は、再度生ゴミ類捕集槽１２に出し入れ可能に設置することで、以後の生ゴミ類の捕集態勢を整えることができる。したがって、生ゴミ類や油分の腐敗およびこれに伴う悪臭の発生などの衛生上ならびに環境保全上の不都合を回避することができるとともに、生ゴミ類や油分が堆積限界を超えて公共の下水施設へ流下した場合に生じる様々な不都合をも確実に回避することができる。
【０００６】
【発明が解決しようとする課題】
ところが、生ゴミ捕集カゴ１で捕集した生ゴミ類を水切り後に排出しても、パンチングメタルなどによって構成されている有底四角形の水切り本体部３にヌメリや油分や生ゴミ類の小片などが付着して目詰まりを生じさせる。このため、生ゴミ捕集カゴ１を洗浄して、ヌメリや油分を除去して目詰まりを解消する煩雑な作業が頻繁に要求される。したがって、図１０に示すように、生ゴミ捕集カゴ１における上端開口枠部２の四辺（ただし、図１０には上端開口枠部２の三辺のみが示されている）を樹脂製で袋状の生ゴミ類捕集ネット５の上端開口周縁部５Ａで挟み、この周縁部５Ａを板金製のクリップ１７で着脱可能に挟着して、生ゴミ捕集カゴ１に生ゴミ類捕集ネット５を装着することが考えられる。
【０００７】
このような構成であれば、生ゴミ類捕集ネット５によって生ゴミ類を捕集することができ、捕集した生ゴミ類は、生ゴミ捕集カゴ１から生ゴミ類捕集ネット５を取り外して、生ゴミ類捕集ネット５とともに投棄することによって回収できるので、ヌメリや油分や生ゴミ類の小片などの付着による有底四角形の水切り本体部３の目詰まりを緩和して、生ゴミ捕集カゴ１の洗浄頻度を大幅に低下させることができる。ところが、生ゴミ捕集カゴ１における上端開口枠部２に対する生ゴミ類捕集ネット５の着脱作業がきわめて困難な欠点を有している。
【０００８】
すなわち、生ゴミ類捕集ネット５を取り外して、捕集した生ゴミ類を回収する場合には、生ゴミ捕集カゴ１における上端開口枠部２の四辺から板金製のクリップ１７を除去する煩雑な作業が要求され、また、生ゴミ類捕集ネット５を装着する場合には、上端開口枠部２の四辺を生ゴミ類捕集ネット５の周縁部５Ａで挟み、さらに周縁部５Ａを板金製のクリップ１７で着脱可能に挟着する煩雑な作業が要求される。
【０００９】
本発明は、このような事情に鑑みてなされたもので、たとえば、生ゴミ捕集カゴのようなネット保持部材に対して生ゴミ類捕集ネットを簡単に着脱することができるグリストラップ用生ゴミ類捕集ネットの装着具を提供することを目的としている。
【００１０】
【課題を解決するための手段】
前記目的を達成するために、請求項１に記載の発明に係るグリストラップ用生ゴミ類捕集ネットの装着具は、グリストラップの生ゴミ類捕集槽に設置されたネット保持部材に生ゴミ類捕集ネットを装着するグリストラップ用生ゴミ類捕集ネットの装着具であって、前記ネット保持部材の上端開口枠部を挟着するクリップ状の本体部と、この本体部に突設されて前記生ゴミ類捕集ネットの網目が掛脱自在に掛け止めされる掛止片とを備えており、前記クリップ状の本体部が、後端立壁と、この後端立壁の下端部から前方にのびる平坦な下片部と、前記後端立壁の上端部から前方かつ下向きに傾斜してのびる主体部及びこの主体部の前方かつ上向きに傾斜してのびる端縁部を有する上片部と、を備え、前記掛止片が、前記主体部の後端立壁寄り側の一部を切り起して突設されていることを特徴としている。
【００１１】
また、前記生ゴミ類捕集ネットの装着具は金属製であることが好ましい。
【００１２】
請求項１に記載の発明によれば、ネット保持部材の上端開口枠部をクリップ状の本体部で挟着することによって、上端開口枠部に生ゴミ類捕集ネットの装着具を取り付けることができ、上端開口枠部に取り付けられた生ゴミ類捕集ネットの装着具の掛止片に生ゴミ類捕集ネットの網目を掛脱させる単純な作業により、ネット保持部材に対して生ゴミ類捕集ネットを簡単に着脱することができる。
【００１３】
請求項２に記載の発明によれば、材質や熱処理を考慮することによって、ネット保持部材の上端開口枠部に対するクリップ状の本体部の挟着力を高めることができる。
【００１４】
【発明の実施の形態】
以下、本発明に係るグリストラップ用生ゴミ類捕集ネットの装着具の実施の形態を図面に基づいて説明する。図１は一実施の形態を示す斜視図、図２は図１のＡ−Ａ線断面図である。なお、図８，図９の従来例または図１０の比較例と同一部分には、同一符号を付して説明する。図１，図２において、生ゴミ類捕集ネットの装着具２０は鋼板によって形成されており、クリップ状の本体部２０Ａと、このクリップ状の本体部２０Ａに上向きに突設された一つの掛止片２０Ｂとを備えている。
【００１５】
クリップ状の本体部２０Ａは、後端立壁２１と、この後端立壁２１の下端部に直交して前方にのびる平坦な下片部２２と、後端立壁２１の上端部から前方かつ下向きに傾斜してのびる主体部２３Ａ及びこの主体部２３Ａの前方かつ上向きに傾斜してのびる端縁部２３Ｂを有する上片部２３と、を備え、一つの掛止片２０Ｂは、プレス加工によって主体部２３Ａの後端立壁２１寄り側の一部を切り起すことによってクリップ状の本体部２０Ａから上向きに突設してある。なお、図１のように、掛止片２０Ｂの切り起しによって主体部２３Ａの後端立壁２１寄り側に透孔２３Ｃが形成される。
【００１６】
このように構成された生ゴミ類捕集ネットの装着具２０は、図９に示す既設の生ゴミ捕集カゴ１をネット保持部材２４として活用して取付けられ、生ゴミ類を捕集することができる。すなわち、図３に示すように、生ゴミ捕集カゴ１における上端開口枠部２の四辺（ただし、図３には上端開口枠部２の三辺のみが示されている）のそれぞれを、適当な間隔を隔ててクリップ状の本体部２０Ａで挟着することによって、掛止片２０Ｂを上向きにした状態で上端開口枠部２に複数個の生ゴミ類捕集ネットの装着具２０が取り付けられる。詳しくは、図２の生ゴミ類捕集ネットの装着具２０において、下片部２２の上面と、主体部２３Ａと端縁部２３Ｂの境界部における下面とで、図３の生ゴミ捕集カゴ１における上端開口枠部２の四辺を上下で挟着している（ただし、図３には三辺の挟着状態が示されている）。したがって、樹脂製で袋状の生ゴミ類捕集ネット５の上端開口周縁部５Ａの網目を掛止片２０Ｂに掛脱させる単純な作業により、生ゴミ捕集カゴ１（ネット保持部材２４）に対して生ゴミ類捕集ネット５を簡単に着脱することができる。つまり、生ゴミ類を捕集するためになされる生ゴミ捕集カゴ１（ネット保持部材２４）に対する生ゴミ類捕集ネット５の装着と、捕集した生ゴミ類を回収するためになされる生ゴミ類捕集ネット５の取り外しを簡単に行なうことができる。
【００１７】
また、生ゴミ類捕集ネットの装着具２０は鋼板によって形成されているので、その材質や熱処理を考慮して強いバネ性をもたせることによって、生ゴミ捕集カゴ１（ネット保持部材２４）における上端開口枠部２の四辺に対するクリップ状の本体部２０Ａの挟着力を高めて、生ゴミ類捕集ネットの装着具２０を上端開口枠部に強固に取り付け、生ゴミ類捕集ネット５の位置ずれを防止して、生ゴミ類の捕集能力が低下するのを避けることができる。
【００１８】
さらに、掛止片２０Ｂは、プレス加工によって下片部２２の一部を切り起すことによって簡単に突設することができるので、生ゴミ類捕集ネットの装着具２０の生産性を向上させて、コストダウンを図ることができる。
【００１９】
前記実施の形態では、掛止片２０Ｂを上向きにして、生ゴミ類捕集ネットの装着具２０を取付けた状態で説明しているが、図４に示すように、掛止片２０Ｂを下向きにして取付けた生ゴミ類捕集ネットの装着具２０に生ゴミ類捕集ネットの装着具２０を掛脱させても、あるいは、図５に示すように、掛止片２０Ｂを横向きにして取付けた生ゴミ類捕集ネットの装着具２０に生ゴミ類捕集ネットの装着具２０を掛脱させてもよい。
【００２０】
また、生ゴミ類捕集ネットの装着具２０を図６に示すように長寸に形成し、そのクリップ状の本体部２０Ａに、長手方向に適当な間隔を隔てて複数の掛止片２０Ｂ，２０Ｂを突設することにより、一つの長寸の生ゴミ類捕集ネットの装着具２０で図１に示す短寸の生ゴミ類捕集ネットの装着具２０の複数個分の機能を発揮させることができる。
【００２１】
さらに、既設の生ゴミ捕集カゴ１をネット保持部材２４として活用しているが、図７に示すように、Ｌ字状断面の型材によってなる上端開口枠部２４Ａと、この上端開口枠部２４Ａに取付けられて下方にのびる四本の脚部２４Ｂ，２４Ｂ…とを備えたネット保持部材２４を別途製作して、生ゴミ類捕集槽１２（図８参照）に出し入れ可能に設置してもよい。
【００２２】
【発明の効果】
以上説明したように、本発明に係るグリストラップ用生ゴミ類捕集ネットの装着具は構成されているので、以下のような格別の効果を奏する。
【００２３】
請求項１に記載の発明によれば、生ゴミ類を捕集するためになされるネット保持部材に対する生ゴミ類捕集ネットの装着と、捕集した生ゴミ類を回収するためになされる生ゴミ類捕集ネットの取り外しを、生ゴミ類捕集ネットの網目を掛止片に掛脱させる単純な作業により簡単に行なうことができる。
【００２４】
掛止片がクリップ状の本体部から切り起して突設されていることにより、生ゴミ類捕集ネットの装着具の生産性を向上させて、コストダウンを図ることができる。
【００２５】
請求項２に記載の発明のように、生ゴミ類捕集ネットの装着具が金属製であることにより、ネット保持部材に強固に取り付けて、生ゴミ類捕集ネットの位置ずれを防止して、生ゴミ類の捕集能力が低下するのを避けることができる。
【図面の簡単な説明】
【図１】  本発明の一実施の形態を示す斜視図である。
【図２】  図１のＡ−Ａ線断面図である。
【図３】  生ゴミ類捕集ネットの装着状態を示す断面図である。
【図４】  ネット保持部材に対する生ゴミ類捕集ネットの装着具の取付け状態の第１変形例を示す断面図である。
【図５】  ネット保持部材に対する生ゴミ類捕集ネットの装着具の取付け状態の第２変形例を示す断面図である。
【図６】  本発明の他の実施の形態を示す斜視図である。
【図７】  ネット保持部材の他の例を示す斜視図である。
【図８】  グリストラップの概略構成を示す断面図である。
【図９】  生ゴミ捕集カゴの一例を示す斜視図である。
【図１０】  生ゴミ類捕集ネットの装着状態を示す比較例の断面図である。
【符号の説明】
１  生ゴミ捕集カゴ（ネット保持部材）
２  生ゴミ捕集カゴの上端開口枠部（ネット保持部材の上端開口枠部）
５  生ゴミ類捕集ネット
１０  グリストラップ
１２  生ゴミ類捕集槽
２０  生ゴミ類捕集ネットの装着具
２０Ａ  クリップ状の本体部
２０Ｂ  掛止片
２４  ネット保持部材
２４Ａ  ネット保持部材の上端開口枠部
【図１】
0003648484.tif 000002
【図２】
0003648484.tif 000003
【図３】
0003648484.tif 000004
【図４】
0003648484.tif 000005
【図５】
0003648484.tif 000006
【図６】
0003648484.tif 000007
【図７】
0003648484.tif 000008
【図８】
0003648484.tif 000009
【図９】
0003648484.tif 000010
【図１０】
0003648484.tif 000011